(57)【要約】【課題】広く普及した携帯電話やインターネットといった既存の機器やインフラの機能を可能な限りそのまま利用して、自車の駐車位置情報を遠隔より取得できるようにする。【解決手段】携帯電話からの駐車位置情報取得要求信号を受信して、車載端末装置がＲＦタグ読取装置を使用して自車の駐車位置路面に埋め込まれたＲＦタグに書き込まれている位置情報を読み取る。読み取った位置情報を文字情報として返信し、携帯電話の表示パネルに駐車位置を文字表示して知らせる。【選択図】  図１
2004192513.tif 000002
【特許請求の範囲】
【請求項１】
車載端末装置と携帯電話とを備えた車両の駐車位置情報取得システムであって、前記車載端末装置は、制御装置と、記憶装置と、ＲＦタグ読取装置と、携帯電話網を介して前記携帯電話と交信可能な通信装置とを備えて構成され、前記制御装置は、前記携帯電話から送られた駐車位置情報取得要求信号を受信した場合に前記ＲＦタグ読取装置にて自車の駐車位置路面に埋め込まれたＲＦタグに書き込まれた駐車位置情報を読み取り、該駐車位置情報を前記信号を発信した携帯電話に文字情報として送信するように構成され、前記携帯電話は送信されてきた前記駐車位置情報をその有する表示パネル上に文字で表示することを特徴とする車両の駐車位置情報取得システム。
【請求項２】
車載端末装置と携帯電話とを備えた車両の駐車位置情報取得システムであって、前記車載端末装置は、制御装置と、記憶装置と、ＲＦタグ読取装置と、携帯電話網を介して前記携帯電話と交信可能な通信装置とを備えて構成され、前記制御装置は、前記携帯電話から送られた駐車位置情報取得要求信号を受信した場合に前記ＲＦタグ読取装置にて自車の駐車位置路面に埋め込まれたＲＦタグに書き込まれた駐車位置情報を読み取り、該駐車位置情報を前記記憶装置に予め記憶されたメールアドレスに送信することを特徴とする車両の駐車位置情報取得システム。
【請求項３】
遠隔より車両の駐車位置情報の取得を可能とする車載端末装置であって、制御装置と、記憶装置と、ＲＦタグ読取装置と、携帯電話網を介した交信が可能な通信装置とを備え、前記制御装置は携帯電話網を介して駐車位置情報取得要求信号を受信した場合には、前記ＲＦタグ読取装置にて自車の駐車位置路面に埋め込まれたＲＦタグに書き込まれた駐車位置情報を読み取り、該駐車位置情報を、携帯電話網を介して前記信号を送信してきた通信機器へ送信、又は前記記憶装置に予め記憶されたメールアドレスへ送信の何れか、又はその双方を行なうように構成されていることを特徴とする車載端末装置。
【請求項４】
前記車載端末装置は、携帯電話網を介して交信可能な通信装置を備えたカーナビゲーション装置にＲＦタグ読取装置を接続して構成したものであることを特徴とする請求項１又は２に記載の車両の駐車位置情報取得システム。
【請求項５】
前記車載端末装置は、携帯電話網を介して交信可能な通信装置を備えたカーナビゲーション装置にＲＦタグ読取装置を接続して構成したものであることを特徴とする請求項３に記載の車載端末装置。
【請求項６】
前記車載端末装置は、携帯電話網を介して交信可能な通信装置を備えたテレマティクス用端末装置にＲＦタグ読取装置を接続して構成したものであることを特徴とする請求項１又は２に記載の車両の駐車位置情報取得システム。
【請求項７】
前記車載端末装置は、携帯電話網を介して交信可能な通信装置を備えたテレマティクス用端末装置にＲＦタグ読取装置を接続して構成したものであることを特徴とする請求項３に記載の車載端末装置。
【請求項８】
遠隔より車両の駐車位置情報を取得する方法であって、携帯電話より車載端末装置に駐車位置情報取得要求信号を発信するステップと、該信号を受信した車載端末装置が自車の駐車位置路面に埋め込まれたＲＦタグに書き込まれた駐車位置情報をＲＦタグ読取装置により読み取り、該駐車位置情報を前記信号を発信した携帯電話に送信するステップと、前記駐車位置情報を受け取った携帯電話がその有する表示パネル上に該駐車位置情報を表示するステップとを含むことを特徴とする車両の駐車位置情報取得方法。
【請求項９】
遠隔より車両の駐車位置情報を取得する方法であって、携帯電話より車載端末装置に駐車位置情報取得要求信号を発信するステップと、該信号を受信した車載端末装置が自車の駐車位置路面に埋め込まれたＲＦタグに書き込まれた駐車位置情報をＲＦタグ読取装置により読み取り、該駐車位置情報を予め決められたメールアドレスに送信するステップと、該メールアドレスにアクセスして前記駐車位置情報を確認するステップとを含むことを特徴とする車両の駐車位置情報取得方法。
【請求項１０】
請求項１、２、４、６のいずれか一項に記載の車両の駐車位置情報取得システムであって、前記駐車位置情報取得要求信号の送信を、前記携帯電話から送るのに代えて、インターネットに接続されたパソコンよりインターネットと形態電話網を介して車両端末装置にメールで送り、前記制御装置は前記駐車位置情報を、前記形態電話に送信する代わりに該メールを送信してきたメールアドレスおよび予め前記記憶装置に記憶されたメールアドレスにメールで知らせることを特徴とする車両の駐車位置情報取得システム。
【請求項１１】
請求項３、５、７のいずれか一項に記載の車両の駐車位置情報取得装置であって、前記制御装置は駐車位置情報取得要求信号をメールにて受け取り、前記駐車位置情報を前記携帯電話に送信する代わりに、該メールを送信してきたメールアドレスおよび予め前記記憶装置に記憶されたメールアドレスにメールで知らせることを特徴とする車両の駐車位置情報取得装置。
【請求項１２】
請求項９に記載の車両の駐車位置情報取得方法であって、駐車位置情報取得要求信号を携帯電話より発信するのに代えてインターネットに接続されたパソコンよりメールにて送るようにすると共に、前記駐車位置情報を更に該メールを送信してきたメールアドレスにもメールで知らせることを特徴とする駐車位置情報取得方法。
【発明の詳細な説明】
【０００１】
【発明の属する技術分野】
本発明は、離れた場所から自車の駐車位置情報を取得することができる駐車位置情報取得システム、同システムに使用する車載端末装置、及び駐車位置情報取得方法に関する。
【０００２】
【従来の技術】
特徴の少ない広い駐車場に駐車して車から離れ、長時間経過してから戻ったような場合、自車の駐車位置を忘れたり見失ったりして探し回ることがしばしば起きる。特に夜間に駐車した場合や、駐車している間に駐車場の状況が大きく変化したような場合には多く起こりがちである。また、盗難にあった自車の所在位置を見つけ出すことは至難の業である。このような場合に、離れた場所から自車の駐車位置情報を取得できる手段があれば極めて好都合である。
【０００３】
かかる問題を解決する従来技術として、運転者が特殊な電波を発信できる携帯用送信機を持って車から離れ、自車を探す場合にはその送信機を操作して自車に搭載した受信機に指令電波を発信する。指令電波を受信した受信機は、前照灯やハザードランプの点灯、クラクションを鳴らす等の手段で自車の位置を運転者に知らせるというものがある（特許文献１〜３参照）。しかし、この方法では、運転者が自車から遠く離れた場所にいる場合には、前照灯の点灯やクラクションの音を認識することができず自車位置を認識できない。また、特殊な携帯用送信機を必要とする点で問題がある。
【０００４】
また、別の従来技術として、電波の送受信が可能な携帯用送受信機を持って離れ、該送受信機からの指令信号を受けた自車搭載送受信機が位置情報を知らせる電波を発信し、携帯用送受信機がそれを受けて位置を表示するというものがある（特許文献４参照）。しかしこの場合も、特殊な電波を送受信できる携帯用送受信機を必要とする。また自車に搭載した機器が自車の位置をどのようにして認識するかについての明確な開示がされていない。これらの点に加え、何れの従来技術も盗難にあった自車の位置を探索、認識できる機能を備えていない。
【０００５】
【特許文献１】
特開２０００−２３１６９９号報
【０００６】
【特許文献２】
特開２００１−７６２９７号報
【０００７】
【特許文献３】
特開平９−３５１９１号報
【０００８】
【特許文献４】
特開平６−９７８６３号報
【０００９】
【発明が解決しようとする課題】
本発明は、このような従来の技術的課題に鑑みてなされたもので、その目的は、広く普及した携帯電話やインターネットといった既存の機器やインフラの機能をそのまま利用して、自車の駐車位置情報を遠隔より取得できるシステム、それに使用する車載端末装置、及び駐車位置情報取得方法を提供することにある。
【００１０】
【課題を解決するための手段】
前記目的を達成するための請求項１に記載の発明は、車載端末装置と携帯電話とを備えた車両の駐車位置情報取得システムである。車載端末装置は、制御装置と、記憶装置と、ＲＦタグ読取装置と、携帯電話網を介して携帯電話と交信可能な通信装置とを備えて構成される。制御装置は、携帯電話から送られた駐車位置情報取得要求信号を受信した場合にＲＦタグ読取装置にて自車の駐車位置路面に埋め込まれたＲＦタグに書き込まれた駐車位置情報を読み取る。そして、読み取った駐車位置情報を前記信号を発した携帯電話に文字情報として送信する。前記携帯電話は送信されてきた駐車位置情報をその有する表示パネル上に文字で表示して運転者による自車の駐車位置取得に供することを特徴とする車両の駐車位置情報取得システムである。
【００１１】
このような構成の駐車位置情報取得システムによれば、運転者は汎用の携帯電話を使用して遠隔より、見失った自車の駐車位置情報を短時間のうちに容易に取得することができる。
【００１２】
また、請求項２に記載の発明は、車載端末装置と携帯電話とを備えた車両の駐車位置情報取得システムである。車載端末装置は、制御装置と、記憶装置と、ＲＦタグ読取装置と、携帯電話網を介して携帯電話と交信可能な通信装置とを備えて構成される。制御装置は、携帯電話から送られた駐車位置情報取得要求信号を受信した場合にＲＦタグ読取装置にて自車の駐車位置路面に埋め込まれたＲＦタグに書き込まれた駐車位置情報を読み取る。そして、読み取った駐車位置情報を記憶装置に予め記憶されたメールアドレスに送信するように構成されたことを特徴とする車両の駐車位置情報取得システムである。
【００１３】
このような構成の駐車位置情報取得システムによれば、運転者は汎用の携帯電話を使用して遠隔より、見失った自車の駐車位置情報を短時間のうちに容易に取得できる。メールアドレスは、インターネット上のメールアドレスでもよいので、携帯電話の他、インターネットに接続されたパソコン等からも駐車位置情報を取得できる利点がある。
【００１４】
また、請求項３に記載の発明は、遠隔より車両の駐車位置情報取得を可能とする車載端末装置であって、制御装置と、記憶装置と、ＲＦタグ読取装置と、携帯電話網を介した交信が可能な通信装置とを備える。制御装置は携帯電話網を介して駐車位置情報取得要求信号を受信した場合には、前記ＲＦタグ読取装置にて自車の駐車位置路面に埋め込まれたＲＦタグに書き込まれた駐車位置情報を読み取り、該駐車位置情報を、携帯電話網を介して前記信号を送信してきた通信機器へ送信、又は前記記憶装置に予め記憶されたメールアドレスへ送信の何れか、又はその双方を行なうように構成されていることを特徴とする車載端末装置である。
【００１５】
このような構成の車載端末装置を自車に搭載しておけば、運転者は汎用の携帯電話を使用して遠隔より、見失ったあるいは盗難にあった自車に対して、その駐車位置情報を送るように指令できる。そして、送られてきた駐車位置情報を携帯電話のパネルで確認したり、メールアドレスにアクセスして確認するなどして容易に取得することができる。
【００１６】
また、請求項４に記載の発明は、請求項１又は２に記載の車両の駐車位置情報取得システムであって、同システムで使用する車載端末装置を、携帯電話網を介して交信可能な通信装置を備えたカーナビゲーション装置にＲＦタグ読取装置を接続して構成したことを特徴とするものである。
【００１７】
このように構成すれば、既存のカーナビゲーション装置に小改造を加えるのみで駐車位置情報取得システムに必要な車載端末装置として機能させることができ、駐車位置情報取得システムを安価に構築できる。
【００１８】
また、請求項５に記載の発明は、請求項３に記載の車載端末装置であって、その車載端末装置を、携帯電話網を介して交信可能な通信装置を備えたカーナビゲーション装置にＲＦタグ読取装置を接続して構成したことを特徴とするものである。
【００１９】
このように構成すれば、既存のカーナビゲーション装置に小改造を加えるのみで安価に車載端末装置を製作できる。
【００２０】
また、請求項６に記載の発明は、請求項１又は２に記載の車両の駐車位置情報取得システムであって、同システムで使用する車載端末装置を、携帯電話網を介して交信可能な通信装置を備えたテレマティクス用端末装置にＲＦタグ読取装置を接続して構成したことを特徴とするものである。
【００２１】
このように構成すれば、既存のテレマティクス用端末装置に小改造を加えるのみで駐車位置情報取得システムに必要な車載端末装置として機能させることができ、駐車位置情報取得システムを安価に構築できる。
【００２２】
また、請求項７に記載の発明は、請求項３に記載の車載端末装置であって、その車載端末装置を、携帯電話網を介して交信可能な通信装置を備えたテレマティクス用端末装置にＲＦタグ読取装置を接続して構成したことを特徴とするものである。
【００２３】
このように構成すれば、既存のテレマティクス用端末装置に小改造を加えるのみで安価に車載端末装置を製作できる。
【００２４】
また、請求項８に記載の発明は、遠隔より車両の駐車位置情報を取得する方法であって、携帯電話より車載端末装置に駐車位置情報取得要求信号を発信するステップと、該信号を受信した車載端末装置が自車の駐車位置路面に埋め込まれたＲＦタグに書き込まれた駐車位置情報をＲＦタグ読取装置により読み取り、該駐車位置情報を前記信号を発信した携帯電話に送信するステップと、前記駐車位置情報を受け取った携帯電話がその有する表示パネル上に該駐車位置情報を表示するステップとを含むことを特徴とするものである。
【００２５】
このようなステップを含む駐車位置情報取得方法によれば、運転者は汎用の携帯電話を使用して遠隔より、見失ったあるいは盗難にあった自車の駐車位置情報を容易に取得できる。
【００２６】
また、請求項９に記載の発明は、遠隔より車両の駐車位置情報を取得する方法であって、携帯電話より車載端末装置に駐車位置情報取得要求信号を発信するステップと、該信号を受信した車載端末装置が自車の駐車位置路面に埋め込まれたＲＦタグに書き込まれた駐車位置情報をＲＦタグ読取装置により読み取り、該駐車位置情報を予め決められたメールアドレスに送信するステップと、運転者等が該メールアドレスにアクセスして前記駐車位置情報を確認するステップとを含むことを特徴とするものである。
【００２７】
このようなステップを含む駐車位置情報取得方法によれば、運転者は汎用の携帯電話を使用して遠隔より、見失ったあるいは盗難にあった自車に対して、その駐車位置情報を送るように指令できる。そして、携帯電話やパソコンなどによりメールアドレスにアクセスすることにより、自車の駐車位置情報を容易に取得することができる。
【００２８】
また、請求項１０に記載の発明は、請求項１、２、４、６のいずれか一項に記載の車両の駐車位置情報取得システムにおいて、前記駐車位置情報取得要求信号の送信を、前記携帯電話から送るのに代えて、インターネットに接続されたパソコンよりインターネットと携帯電話網を介して車両端末装置にメールで送り、前記制御装置は前記駐車位置情報を、前記携帯電話に送信する代わりに該メールを送信してきたメールアドレスおよび予め前記記憶装置に記憶されたメールアドレスにメールで知らせるようにしたことを特徴とする車両の駐車位置情報取得システムである。
【００２９】
このような構成とすれば、インターネットに接続された任意のパソコンから駐車位置情報取得要求信号を発信することができ、また駐車位置情報を取得できるので、使用できる端末装置の種類と数が増え便利になる。
【００３０】
また、請求項１１に記載の発明は、請求項３、５、７のいずれか一項に記載の車両の駐車位置情報取得装置において、前記制御装置は駐車位置情報取得要求信号をメールにて受け取り、前記駐車位置情報を前記携帯電話に送信する代わりに、該メールを送信してきたメールアドレスおよび予め前記記憶装置に記憶されたメールアドレスにメールで知らせるようにしたことを特徴とする車両の駐車位置情報取得装置である。
【００３１】
制御装置をこのような構成とすれば、メールを送信できる任意の端末からの駐車位置情報取得要求信号を受け取ることができる。また取得した駐車位置情報もメールを送信してきた端末の他、予め記憶されたメールアドレスにも送信されるため、駐車位置情報取得のための端末の種類と数が増加して便利になる。
【００３２】
また、請求項１２に記載の発明は、請求項９に記載の車両の駐車位置情報取得方法において、駐車位置情報取得要求信号を携帯電話より発信するのに代えてインターネットに接続されたパソコンよりメールにて送るようにすると共に、前記駐車位置情報を更に該メールを送信してきたメールアドレスにもメールで知らせるようにしたことを特徴とする駐車位置情報取得方法である。
【００３３】
このようにすれば、メールを受発信できる端末をすべて駐車位置情報取得のための端末として使用できるようになり便利である。
【００３４】
【発明の実施の形態】
以下、本発明の一実施の形態を図１〜図３を参照して説明する。
図１は、本発明に係る車両の駐車位置情報取得システムの構成を示した模式図である。本システムは、携帯電話網１に接続された携帯電話２と、車載端末装置３とを備えて構成される。
【００３５】
図２は、車両（自車）４に搭載する車載端末装置３のハードウェア構成を示すブロック図である。車載端末装置３は、制御装置５、記憶装置６、通信装置７、ＲＦタグ（Radio Frequency Tag）読取装置１１を備えて構成される。
【００３６】
制御装置５は、通常、マイコンを用いて構成され、車載端末装置３の全体制御を司る。記憶装置６は、制御装置５に必要なプログラム、後述する駐車位置情報の送信先のメールアドレスを予め記憶している他、駐車位置情報の一時記憶にも用いられる。
【００３７】
通信装置７は、通信アンテナ８を介して携帯電話網１と交信可能な通信装置である。携帯電話網１は、通常、携帯電話網１を運営す会社が管理するコンピュータ９を介してインターネット１０とも接続されている。このため、制御装置５は通信装置７を介してインターネット１０上の特定メールアドレスにインターネットメールを送信することもできる。
【００３８】
ＲＦタグ読取装置１１は、自車４が駐車している場所の路面に予め埋め込まれているＲＦタグ１２に書き込まれた位置情報を読み取る装置である。ＲＦタグ１２は、アンテナ付きＩＣチップで構成されたもので、書き込まれている情報は、ＲＦタグ読取装置１１のアンテナ１３より電波を発信して非接触で読み取ることができる。電波の発信、ＲＦタグ１２からの返信電波を受信するアンテナ１３は車両４の下面に取り付けられている。本システムの場合、ＲＦタグ１２に書き込まれた情報の更新は行なわないため、市販の受動型遠隔タグ（例えば、ＲＦパッシブタグ）を使用することができる。駐車位置情報としては、例えば「名古屋城南１Ｆ２列３番」のように、駐車位置が即座に分かるような位置名称が書き込まれている。
【００３９】
次に、本システムによる駐車位置情報の取得手順を、図３のフロー図を参照して説明する。運転者は車を駐車させた後、携帯電話２を持って自車４から離れる（ステップＳ１）。駐車中の電力消費を抑えるためには、通信装置７の電源のみをＯＮにしておき、通信装置７が携帯電話２から駐車位置情報取得要求信号を受信した時に、信号を送って制御装置５その他の電源がＯＮされるようにしておくことが好ましい。
【００４０】
運転者が自車４の駐車位置を忘れ、あるいは盗難により行方不明となった車両を探す場合には、携帯電話２より自車４の車載端末装置３に電話をかけ、携帯電話２のキーを操作して駐車位置情報取得要求信号をコード信号の形で送信する（ステップＳ２）。通信装置７は、携帯電話２からの電話を受けて直ちに制御装置５の電源をＯＮする。制御装置５は、通信装置７を介して駐車位置情報取得要求信号を受け取る。制御装置５は、受け取ったコード信号が駐車位置情報取得要求であることを確認し、ＲＦタグ読取装置１１の電源をＯＮして自車４の下の路面に埋め込まれたＲＦタグ１２の読み取りを指示する（ステップＳ３）。ＲＦタグ読取装置１１は、指示に従いアンテナ１３より電波をＲＦタグ１２に発信し、ＲＦタグ１２からの返信電波を受信して受け取った駐車位置情報を制御装置５に伝える（ステップＳ４）。
【００４１】
駐車位置情報を受け取った制御装置５は、電話をかけてきた携帯電話２に対して駐車位置情報を文字情報として直ちに返信する（ステップＳ５）。返信された駐車位置情報は、携帯電話２の表示パネル２ａに直ちに文字で表示される（ステップＳ６）。運転者はそれを見て自車の駐車位置情報を取得する。このように、本システムによれば、運転者は離れた場所から自車の駐車位置情報を、短時間で容易に取得することができる。また、盗難にあった車両も、それがＲＦタグの埋め込まれた場所に駐車していれば、その位置情報を容易に把握できる。
【００４２】
次に、上記実施形態に変形を加えた実施形態について説明する。
前記実施形態では、図３のフローのステップＳ５にて、ＲＦタグ読取装置１１が読み取った駐車位置情報を、電話をかけてきた通話中の電話に文字情報の形で直ちに返信した。このように返信する代わり、あるいはそれと同時に、制御装置５が、駐車位置情報をその記憶装置６に予め記憶されたメールアドレスにメールの形で送信するようにしてもよい。この場合、運転者は携帯電話２からメールアドレスにアクセスして駐車位置情報を取得する。
【００４３】
このようにしても、運転者は短時間で容易に自車の駐車位置情報を取得することができる。携帯電話電話網１は、通常、携帯電話網１を運営する会社が管理するコンピュータ９によりインターネット１０に接続されているので、メールアドレスはインターネット上のアドレスでもよい。インターネット上のメールアドレスであれば、インターネット１０に接続されたパソコンからアクセスすることも可能である。また、運転者以外の者もメールアドレスを知っている者は、駐車位置情報を取得することができる利点がある。
【００４４】
また、前記実施形態で使用した図２の構成を有する車載端末装置３は、通信機能を備えた既存のカーナビゲーション装置を利用して構成してもよい。図４に、このようにして構成した車載端末装置３の構成を示す。カーナビゲーション装置１４は、制御装置１４ａ、記憶装置１４ｂ、通信アンテナ１４ｃを備えた通信装置１４ｄ、ＧＰＳ受信機１４ｅを有する他、図示しない地図情報記録部、表示パネル等により構成される。通信装置１４ｄは、携帯電話網１を介して携帯電話２やインターネット１０に接続されたパソコン等と交信可能な通信装置である。このようなカーナビゲーション装置１４に、ＲＦタグ読取装置１１を周辺装置として追加し、駐車位置情報を前述した携帯電話へ送信、又はメールアドレスへ送信、又はその双方を実施できるソフトウェアを記憶装置１３ｂに追加して車載端末装置３とする。
【００４５】
このように構成すれば、カーナビゲーション装置１４は大量生産される装置であるので、比較的安い費用で車載端末装置３を製作できる。また、カーナビゲーション装置１４は、ＧＰＳ受信機１４ｅによっても自車位置を検出できるので、ＲＦタグ１２から得た駐車位置情報と共にＧＰＳ受信機１４ｅで得られた駐車位置情報も送るようにすれば、駐車位置をより明確に取得でき、特に、盗難にあった車両を発見する場合に効果的がある。
【００４６】
更に、前記実施形態で使用した図２の構成を有する車載端末装置３は、テレマティクス用端末装置を利用して構成してもよい。図５に、このようにして構成した車載端末装置３の構成を示す。テレマティクスは、車両内から携帯電話網やインターネットに接続して情報検索、電子メール等を楽しメール自動車向けの次世代情報提供サービスであり、実車での展開が始まり普及が期待されている。テレマティクス用端末装置１５は、制御装置１５ａ、記憶装置１５ｂ、通信装置１５ｄを有する他、提供サービスに応じて各種の周辺装置を付加して構成される。
【００４７】
このようなテレマティクス用端末装置１５に、ＲＦタグ読取装置１１を周辺装置として追加し、駐車位置情報を前述した携帯電話へ送信、又はメールアドレスへ送信、又はその双方を実施できるソフトウェアを追加することで車載端末装置３として機能するように構成することができる。テレマティクス用端末装置１５は、今後、大量生産が予想されるので、このように構成することで比較的安い費用で車載端末装置３を製作することができる。また、このような構成とすることで、テレマティクスのサービスに駐車位置情報取得、車両盗難時の盗難車位置検出といったサービスを追加できる利点がある。
【００４８】
なお、これまで説明してきた実施形態では、駐車位置情報取得要求信号はすべて携帯電話から車載端末装置に送信されるようにしてきたが、携帯電話に限らずインターネットに接続されたパソコン等からもインターネットと携帯電話網を介してメールの形で車載端末装置に送信でき、車載端末装置でそれを受信できるようにしてもよい。また、車載端末装置が取得した駐車位置情報の送信も携帯電話に限らないで、メールを送信してきた携帯電話、パソコン等、更には予め記憶装置に記憶されているメールアドレスに送信するようにしてもよい。このようにすれば、駐車位置情報を取得するために使用できる端末の種類と数が飛躍的に増加して便利になる。
【図面の簡単な説明】
【図１】本発明の一実施形態である駐車位置情報取得システムの構成を示す模式図である。
【図２】車載端末装置の構成を示すブロック図である。
【図３】駐車位置情報取得の手順を示すフロー図である。
【図４】カーナビゲーション装置を利用して構成した車載端末装置の構成を示すブロック図である。
【図５】テレマティクス用端末装置を利用して構成した車載端末装置の構成を示すブロック図である。
【符号の説明】
図面中、１は携帯電話網、２は携帯電話、３は車載端末装置、４は車両（自車）、５は制御装置、６は記憶装置、７は通信装置、８は通信アンテナ、１１はＲＦタグ読取装置、１２はＲＦタグ、１３はアンテナ、１４はカーナビゲーション装置、１５はテレマティクス用端末装置を示す。
【図１】
2004192513.tif 000003
【図２】
2004192513.tif 000004
【図３】
2004192513.tif 000005
【図４】
2004192513.tif 000006
【図５】
2004192513.tif 000007